(57)【要約】  本発明はカバー部品内に入れ子状に収容された多重パネル本体部品用の多重パネルカバー部品を提供する方法および装置に関する。カバー部品は本体部品に対して移動可能であり、本体部品を被覆または除覆するようにユーザがカバー部品を移動させると、装置のユーザに提示されている部品内の画像または機能変化を提供する。
2009518695.tif 000002
【特許請求の範囲】
【請求項１】
装置のユーザに第１の機能を提供する、分離多重パネルとして形成されたカバー部品と、
前記ユーザに第２の機能を提供する、分離多重パネルとして形成された本体部品と、
前記カバーおよび本体部品の前記パネルが第１の位置と第２の位置との間で互いに対して移動可能であるように、前記カバーと本体部品とを入れ子状に摺動結合する結合構造とを備え、
前記カバーおよび本体部品のうちの少なくとも一方の前記多重パネルが各々異なる空間平面上に形成されており、
前記第１の位置において、前記カバー部品の多重パネルが前記本体部品の多重パネルを少なくとも部分的に被覆するとともに、前記第２の位置において、前記カバー部品の多重パネルが前記本体部品の多重パネルを少なくとも部分的に除覆し、
前記少なくとも部分的被覆および除覆が、前記ユーザに対してそれぞれ前記第１および第２の機能を提供する装置。
【請求項２】
前記第１の位置において、前記ユーザに提示される前記第１の機能が、第１の視覚的画像または第１の電子デバイスのいずれか一方である請求項１に記載の装置。
【請求項３】
前記第２の位置において、前記ユーザに提示される前記第２の機能が、第２の視覚的画像または第２の電子デバイスのいずれか一方である請求項２に記載の装置。
【請求項４】
前記第１の位置において前記ユーザに提示される前記第１の機能が画像であるとともに、前記第２の位置において前記ユーザに提示される前記第２の機能が電子デバイスである請求項１に記載の装置。
【請求項５】
前記第１の位置において前記ユーザに提示される前記第１の機能が第１の画像であるとともに、前記第２の位置において前記ユーザに提示される前記第２の機能が第２の画像である請求項１に記載の装置。
【請求項６】
前記第１の位置において前記ユーザに提示される前記第１の機能が電子デバイスであるとともに、前記第２の位置において前記ユーザに提示される前記第２の機能が画像である請求項１に記載の装置。
【請求項７】
前記第１の位置において前記ユーザに提示される前記第１の機能が第１の電子デバイスであるとともに、前記第２の位置において前記ユーザに提示される前記第２の機能が第２の電子デバイスである請求項１に記載の装置。
【請求項８】
前記第１および第２の電子デバイスが各々、携帯電話、パーソナルオーディオプレーヤ、個人用携帯型情報端末（ＰＤＡ）、コンピュータ、計算器、電子ゲーム、カメラおよび全地球測位システム（ＧＰＳ）受信機のうちの１つまたは複数を備える請求項７に記載の装置。
【請求項９】
前記カバー部品および前記本体部品の両方の前記多重パネルが異なる空間平面上に形成されている請求項１に記載の装置。
【請求項１０】
第１の状態として、第１の組の多重レベル副部分上に設けられた第１の機能を有する第１の部分と、
第２の状態として、第２の組の多重レベル副部分上に設けられた第２の機能を有する第２の部分とを備え、
前記それぞれ第１および第２の組の多重レベル副部分が、異なる空間平面内にかつ移動可能な形状補足係合状で配置されて、前記第１および第２の部分が互いに対して第１の位置から第２の位置へ移動されると、前記第１および第２の組の多重レベル副部分が互いに重複関係ですれ違い、構造が前記第１の位置で前記第１の機能を、前記第２の位置で前記第２の機能を露出することにより、前記構造のユーザにそれぞれ前記第１の状態または第２の状態を提供する多重状態構造。
【請求項１１】
前記第１の位置において前記ユーザに提示される前記第１の機能が画像であるとともに、前記第２の位置において前記ユーザに提示される前記第２の機能が電子デバイスである請求項１０に記載の構造。
【請求項１２】
前記第１の位置において前記ユーザに提示される前記第１の機能が第１の画像であるとともに、前記第２の位置において前記ユーザに提示される前記第２の機能が第２の画像である請求項１０に記載の構造。
【請求項１３】
前記第１の位置において前記ユーザに提示される前記第１の機能が電子デバイスであるとともに、前記第２の位置において前記ユーザに提示される前記第２の機能が画像である請求項１０に記載の構造。
【請求項１４】
前記第１の位置において前記ユーザに提示される前記第１の機能が第１の電子デバイスであるとともに、前記第２の位置において前記ユーザに提示される前記第２の機能が第２の電子デバイスである請求項１０に記載の構造。
【請求項１５】
第１の機能を有するとともに第１の複数の副部品を備える第１の部分と、
集合的に電子デバイスを備える第２の複数の副部品を備える第２の部分とを備え、
前記それぞれ第１および第２の複数の副部品が、移動可能な形状補足係合状で配置されて、前記第１および第２の部分が互いに対して第１の位置から第２の位置へ移動されると、前記第１および第２の複数の副部分が互いにすれ違い、構造が前記第１の位置で前記第１の機能を、前記第２の位置で前記電子デバイスを露出する多重状態構造。
【請求項１６】
前記第１の機能が画像である請求項１５に記載の構造。
【請求項１７】
前記第１の機能が電子デバイスでもある請求項１５に記載の構造。
【請求項１８】
前記電子デバイスが、携帯電話、パーソナルオーディオプレーヤ、個人用携帯型情報端末（ＰＤＡ）、カメラ、コンピュータ、計算器、電子ゲームおよび全地球測位システム（ＧＰＳ）受信機のうちの１つまたは複数を備える請求項１５に記載の構造。
【請求項１９】
前記電子デバイスが、携帯電話、パーソナルメディアプレーヤ、個人用携帯型情報端末（ＰＤＡ）、カメラ、コンピュータ、計算器、電子ゲームおよび全地球測位システム（ＧＰＳ）受信機のうちの１つまたは複数を備える請求項１７に記載の構造。
【請求項２０】
前記第１および第２の部分のうちの少なくとも一方の前記複数の副部分が異なる空間平面上に形成されている請求項１５に記載の構造。
【請求項２１】
前記第１および第２の部分の両方の前記複数の副部分が異なる空間平面上に形成されている請求項１５に記載の構造。
【請求項２２】
前記第１の機能が電子デバイスである請求項２１に記載の構造。
【請求項２３】
前記第１および第２の機能の前記電子デバイスが、携帯電話、オーディオ再生デバイス、個人用携帯型情報端末（ＰＤＡ）、カメラ、コンピュータ、計算器、電子ゲームおよび全地球測位システム（ＧＰＳ）受信機のうちの１つまたは複数を備える請求項２２に記載の構造。
【請求項２４】
前記第１の機能が携帯電話であるとともに前記第２の機能がメディア再生デバイスである請求項２２に記載の構造。
【請求項２５】
前記第１の機能が携帯電話であるとともに前記第２の機能が計算器である請求項２２に記載の構造。
【請求項２６】
前記第１の機能が携帯電話であるとともに前記第２の機能が全地球測位システム（ＧＰＳ）受信機である請求項２２に記載の構造。
【請求項２７】
前記第１の機能がメディア再生デバイスであるとともに前記第２の機能が全地球測位システム（ＧＰＳ）受信機である請求項２２に記載の構造。
【請求項２８】
前記第１の機能が携帯電話であるとともに前記第２の機能がコンピュータデバイスである請求項２２に記載の構造。
【請求項２９】
前記第１の機能が携帯電話であるとともに前記第２の機能がビデオゲームデバイスである請求項２２に記載の構造。 
【発明の詳細な説明】
【技術分野】
【０００１】
関連出願の相互参照
本出願は米国特許法第１２０条に基づき２００５年１２月９日に出願された「デバイス用隠しパネルカバー（Ｈｉｄｄｅｎ  Ｐａｎｅｌ  Ｃｏｖｅｒ  Ｆｏｒ  Ａ  Ｄｅｖｉｃｅ）」と題された、米国仮特許出願第６０／７４８，９５２号明細書の利益を主張するものである。上記の仮出願の全体開示はその全体を本明細書に引用して援用する。
【背景技術】
【０００２】
本発明はカバー部品内に入れ子状に収容された多重パネル本体部品用の多重パネルカバー部品を提供する方法および装置に関する。カバー部品は装置の本体部品に対して移動可能であり、本体部品を少なくとも部分的に被覆または除覆することにより、装置のユーザに提示されている部品内の画像または機能変化を提供する。従って装置は多数の機能を行うまたは多数の目的を有し、それらは装置の部品の状態、形状または関係の変化により実現される。このような装置は例えば広告にまたは販売促進物品として用いられる場合に特別な利点を提供し得る。
【発明の開示】
【発明が解決しようとする課題】
【０００３】
発明の概要
本発明は相対的可動部品間の空間関係の変化により、組立体のユーザに組立体の第１の状態または組立体の第２の状態を提供するように移動する多重状態組立体を提供する。異なる状態は異なる機能を果たすか、または異なる目的を有し得る。そのような組立体の一例は、第１と第２の相対空間位置間で互いに対して摺動可能であるように一方が他方に入れ子状に収容された、２つの多重パネル部品で形成された構造物である。第１および第２の位置は、デバイスのユーザに対する組立体の第１および第２の異なる状態または機能の提供に対応し得る。一方の多重パネル部品はカバー部品であるとともに、他方の部品は本体部品である。カバーおよび本体部品のうちの少なくとも一方の多重パネル部品は、対応的に異なる空間平面上に複数の多重パネルを提供するように積層されている。カバーおよび本体部品の多重パネルは、第１の相対位置においてカバー部品の多重パネルが本体部品の多重パネルに重複するような大きさに形成され、それによりその上のカバーとしての機能を果たすとともに、第２の相対位置において、本体部品の少なくとも１つのパネルがカバー部品の少なくとも１つのパネルと重複する。パネルの第１および第２の相対位置は、パネルの完全または部分的重複を生じ得る。
【課題を解決するための手段】
【０００４】
本発明の一実施形態において、カバー部品は比較的パッシブな状態または機能を提示するとともに、その複数の多重パネル上に例えば画像または画像の一部を備え得る一方で、本体部品は比較的アクティブな状態または機能を提示するとともに、その複数の多重パネル上に例えば計算器の一部を含み得る。代替実施形態においてカバーはそのパネル上にアクティブ部品を含むことが可能であるか、またはアクティブおよびパッシブ部品の混合物を有することができる。同様に本体部品はそのパネル上にパッシブ部品を含むことが可能であるか、またはアクティブおよびパッシブ部品の混合物を有することもできる。
【０００５】
本発明のさらなる態様によればカバー部品のパネルは、本体部品の非使用時に本体部品のパネルを隠すおよび／またはアクセスを保護するのに役立つだけでなく、広告メッセージまたは他の図形または画像を配置するための興味空間をデバイスのユーザ／所有者に提供する。このようなカバーパネルはユーザが１つまたは複数のカバーパネルを個人化する可能性を可能にする。
【０００６】
すなわち摺動パネルを用いてこのようなカバーを形成する特別な利点は、これらのパネルの視認外側表面が上に、広告ロゴまたはデザイン、よく知られたキャラクタまたは他のデザイン要素などの任意のタイプの図形画像を含むことが可能なことにある。このような画像は、画像および文章の直接印刷を始めとする多様な技術により作製することができるか、または印刷ステッカー、写真等を貼付することができる。さらにまた画像またはデザインをカバーパネル自体の材料内に形成することもできる。加えて上記したようにデバイスのユーザは、自身の選択の画像を１つまたは複数のパネル、例えばユーザに写真または写真の一部をパネルに取り付け可能にする手段を有するカバーパネルに貼付することによりそれを固有化することもできる。
【０００７】
図形画像のために提供する視認表面がカバーの開閉時に積極的に変化することにより、デバイスのユーザに向けた広告空間として用いることができる、または僅かなメッセージのあるまたはない楽しい図形画像を提供する、視覚的にユニーク且つ興味深い図形領域を生成するため、摺動パネルカバーの利用は本発明の特別な利点を提供する。
【０００８】
本発明の一実施形態においてデバイスの本体部品は電子部品であるが、非電子本体部品が本発明により恩恵を受け得ることも理解されよう。
【０００９】
上記の特徴を提供する方法も記載されている。
【００１０】
本明細書に組み込まれるとともにこの明細書の一部を構成する添付の図面は、本発明の実施形態および詳細を図示するとともに、上記の一般的説明および以下に示す詳細な説明と共に本発明の様々な実施形態および態様を説明するのに役立つ。これらの図面は例示であるとともに正しい縮尺ではない場合があり、いくつかの図面を通して同様な参照番号は同様な要素を表わす。
【００１１】
本発明のこれらのおよび他の利点は、以下の詳細な説明と読むとともに図面を参照すれば明らかになろう。
【００１２】
本発明を図示の実施形態と共に説明するが、本発明をそのような実施形態に限定しようとするものではないことは理解されよう。反対にすべての代替物、変更例、および等価物を本発明の要旨および範囲内に含まれるものとして網羅しようとするものである。
【発明を実施するための最良の形態】
【００１３】
図１Ａ、１Ｂおよび１Ｃは、多重パネル本体またはデバイス部品１２と組み合わされた多重パネルカバー部品１０を有し、カバー部品がデバイス部品１２上でそれぞれ完全に閉鎖された、部分的に開放された、および完全に開放された位置で示された、本発明の装置８を図示する。本発明の一実施形態においてデバイス部品１２は手持ち式または卓上計算器を備えるが、当該デバイスまたはその副部品にアクセスするために移動する保護カバーにより恩恵を受ける任意のタイプのデバイスを備えることができる。例えばデバイス部品１２が電子デバイスである場合、その副部品はＬＣＤディスプレイ、太陽電池パネル、またはキーボードを備え得るが、それらの副部品は計算器、ＰＤＡ（個人用携帯型情報端末）、携帯電話、カメラ、メディアプレーヤ等の一部であり、デバイス部品が電子部品でない場合には、副部品は例えば画像または画像の一部がその上に示されるパネルであり得る。後述するようにデバイスの副部品は、カバー部品の一部の移動により選択的に開放され得る区画を備えることもできる。
【００１４】
図２Ａおよび２Ｂは装置８の計算器の実施形態用の摺動多重パネルカバー部品１０を図示する。計算器デバイス部品１２はデバイス部品１２の担体１４上に支持されたユーザ操作副部品を有し、そのような周知のユーザ操作副部品はプッシュボタンまたはスイッチ（あるいは音声認識により操作され得る機能などの機能的等価物）、および１つまたは複数のディスプレイ等を含む。本発明の一態様によれば、カバー部品１０はその副部品として、互いに並列に異なる空間レベルに隣接位置する多重パネル１８、２０、２２および２４を支持する筐体１６を含むとともに、デバイス部品１２はその副部品として、互いに並列に異なる空間レベルに隣接位置する多重パネル２６、２８、３０および３２を支持する担体１４を含む。
【００１５】
図３Ａはカバーパネルがより明瞭に示された装置８の平面図を図示する。図示の実施形態においてカバー部品１０のパネル１８、２０および２２の各々は、全体として見た場合完全な画像を表示する部分画像のパッシブディスプレイを備えるとともに、パネル２４も例えば広告図形のパッシブディスプレイを備える。
【００１６】
図３Ｂはデバイス部品１２のパネルがより明瞭に示された装置８の平面図を図示する。図示の実施形態においてデバイス部品１２のパネル２６、２８および３０は多重レベルキーボードパネルなどのアクティブ副部品を備えるとともに、パネル３２はＬＣＤディスプレイなどのアクティブ副部品を備える。
【００１７】
続けて図１Ａ〜３Ｂを参照すると、カバー部品１０の筐体１６はデバイス部品１２の担体１４と、摺動接合または接続されるかあるいは移動可能に係合されているため、一群としてカバー部品１０のパネル１８〜２４は、デバイス部品１２の副部品２６〜３２の上方に前進摺動あるいはそれらに対して位置を変えるように選択的に配置されることにより、カバーが閉鎖位置にある場合それらを保護あるいは重畳、隠すまたは異なる視覚的または感覚的印象を与えることができるとともに、ユーザがデバイス部品１２を使用、視認あるいは対話または体験したいと望む場合、後退してデバイス部品１２の副部品２６〜３２を露出または提示することができる。
【００１８】
本発明のこの図示の実施形態において、このような被覆および除覆は組立体８の２つの異なる状態または機能をユーザに提供し、一方の状態は画像を提供するとともに他方の状態は計算器を提供する。
【００１９】
なお以上の図に示すような部品１０と１２との間の摺動は、所望の移動範囲にわたり対象物を互いに対して所望の空間関係に維持するいくつかの周知の機械的装置のいずれかを設けることにより達成可能であり、図示の実施形態では「トラックおよび溝」装置を備えるように示されている。例えば図２Ｂに示すように、デバイス担体１４はその外向表面に複数の溝３３Ａ、３３Ｂおよび３３Ｃを含むとともに、カバー筐体１６の内向表面はリッジの対応装置（図示せず）を含み、上記の摺動関係を提供する２つの部品間の機械的接続を完全にしている。デバイス担体１４は、溝およびトラックが互いに係合してそれぞれの部品に上記の摺動を提供するように、カバー筐体１６の内部に配置可能であるような寸法に形成されている。なお部品のどちらが溝またはトラックを提供するかを決定することは設計上の選択の問題である。
【００２０】
そして手動で最下端パネルをカバー筐体１０から引っ張ることにより計算器デバイス１２の副部品にアクセスすることができる。自動デバイスを利用して開放動作を達成することもできる。例えばユーザが指により手動で、閉鎖プロセス中にデバイス担体と筐体カバーとの間に位置するばね（図示せず）を圧縮する力をかけることにより、デバイスの閉鎖動作を行うことができる。その後例えばユーザがデバイス担体と筐体カバーとの間に位置するラッチ機構を解放するボタンを押圧することにより、圧縮されたばねのエネルギーを用いて、作動時にデバイスをアシストまたは自動開放することもできる。ばねに加えてまたは代わりに、トーションロッドあるいは他の機械、液圧、または空気変形または張力部材などの、他のタイプの自動アシストデバイスが可能である。
【００２１】
閉鎖位置では計算器パネルのいかなる部分も見えないが、どのくらい見えるかは設計上の選択の問題である。カバーの開放動作は完全に機能する計算器を提示し、ユーザのボタンへの手動アクセスおよびＬＣＤディスプレイの視認をもたらす。摺動パネルをカバーが開放される際に昇順または降順に配置することができるが、いずれの場合も完全開放から完全閉鎖へまたは反対の結果は、パネル１８〜２２により形成される図形画像領域が、カバーおよびデバイス部品が交互多重パネル状に配置されていない場合よりも、カバーのパネルの移動に必要な空間がかなり狭くても変化可能であるということである。
【００２２】
図４Ａ、４Ｂおよび４Ｃは装置８のデバイス部品１２を製造する１つの技術を図示する。プラスチック材料で形成され得る担体基部４２は、その前端に位置する前部４４を含み、前部４４は組立体８に構造的剛性を提供するだけでなく、その両端に形成されたスロット４５Ａおよび４５Ｂにより副部品１２の側壁１４の前向縁を受容する取付点も提供する。例えばパネル２６を高架状に搭載するための壁部４６が基部４２の上面上に配置されている。切欠４７が基部４２の前部４４と壁部４６との間に形成されているため、ユーザは指先を切欠４７に挿入して、組立体８の副部品間の摺動相対移動を手動で生じることができる。図４Ｂおよび４Ｃに示すように、計算器の副部品を形成する図示の例では、パネル２６、２８および３０は多数の高レベルにあるように担体基部４２上に配置されているとともに、例えばそれらの外縁における左右側壁１４の内向部４９Ａおよび４９Ｂへの取り付けにより適正な位置に保持されている。バッテリ５１を内部に保持するバッテリ部品４８が基部４２の背面に設けられており、デバイス部品１２に電力を提供する。一実施形態においてリボンケーブル５０が、計算器デバイスの電気副部品２６〜３２間の電気的接続を提供する。代替実施形態においてディスクリートワイヤ、バッテリと隣接パネルのアクティブ部品間の直接物理的電気接続、あるいはワイヤレス接続などの任意のタイプの電気結合を用いることもできる。
【００２３】
図５は「閉鎖」（または第１の）位置にある完成装置のカバー部品との本体部品の入れ子状組立体を図示する。
【００２４】
本発明の一実施形態においてデバイス８の本体部品は電子部品であるが、非電子デバイスも本発明により恩恵を受けることができることは理解されよう。
【００２５】
この点で図６Ａおよび６Ｂは、本発明による装置の他の実施形態のそれぞれ閉鎖および開放（第１および第２の）位置の斜視図を図示し、ここでカバー部品は画像などのパッシブ部品のパネル６１８〜６２４を備えるとともに、本体部品はキーボードおよびディスプレイなどのアクティブ部品のパネル６２６〜６３２を備える。
【００２６】
図７Ａおよび７Ｂは、本発明による装置の他の代替実施形態のそれぞれ閉鎖および開放（第１および第２の）位置の斜視図を図示し、ここでカバー部品パネル７１８〜７２４および本体部品パネル７２６〜７３２は共にキーボードおよびディスプレイなどのアクティブ部品を備える。
【００２７】
図８Ａおよび８Ｂは、本発明による装置の他の代替実施形態のそれぞれ閉鎖および開放（第１および第２の）位置の斜視図を図示し、ここでカバー部品はキーボードおよびディスプレイなどのアクティブ部品のパネル８１８〜８２４を備えるとともに、本体部品は画像などのパッシブ部品のパネル８２６〜８３２を備える。
【００２８】
図２Ａおよび２Ｂに示した実施形態で説明したように、デバイス部品１２のユーザ操作副部品は、デバイス部品１２の担体１４上に分割多重レベル状に配置されており、副部品２６〜３２のサイズおよび形状は、カバーの多重副部品１８〜２４のサイズおよび形状に実質的に対応するような寸法に形成されているため、カバーが閉鎖位置に移動すると、カバーの個々の副部品１８〜２４は覆うように摺動し、そのためデバイスの副部品２６〜３２を完全に被覆または見えなくする。代替実施形態においてデバイス部品１２のパネルは、カバー部品の多重副部品１８〜２４上の画像を完全に被覆または見えなくしないように、例えばカバーの多重副部品１８〜２４のサイズおよび形状に実質的に対応しなくてもよい。
【００２９】
この点で図９Ａおよび９Ｂは、本発明による装置の他の代替実施形態のそれぞれ閉鎖および開放（第１および第２の）位置の斜視図を図示し、ここで本体部品の多重パネル９２６および９３２は均一のサイズではない。すなわち本体部品の最前方副部品パネル９２６は、装置８の奥行に図１の実施形態の３つの本体部品パネル２６、２８および３０と同一寸法を有して示されている。しかしこの代替実施形態は、デバイスが閉鎖されると、本体部品パネル９２６の最後方部９３０がなおカバー部品パネルから保護を受けるとともに、デバイスが開放されると、部分９３０がユーザアクセスのために露出または提示されるという点で、前述の開示実施形態の利点をなお保持している。加えてカバー部品パネル９２２および９２４は、前述の実施形態でそれぞれの本体部品パネル３０および３２を被覆するおよび被覆しないように機能したカバー部品パネル２２および２４と同様に、それぞれの本体部品パネル９３０および９３２を被覆するおよび被覆しないように機能する。図９Ａおよび９Ｂでは異なる「奥行」を有するパネルが開示されているが、サイズおよび形状の他の変更も可能であることは留意されたい。例えば図１Ａ〜１Ｃに示した実施形態の代替例として、計算器部品のパネルは、開放位置でもカバー部品により提示される画像の一部がなおユーザに見えるように、カバー部品のパネルの全幅より狭くてもよい。
【００３０】
同様に図６Ａ〜８Ｂにおいて本体パネルのサイズおよび形状は、カバーパネルのサイズおよび形状に対応している。代替実施形態において図６Ａ〜８Ｂに示すそれぞれの部品パネルのサイズおよび形状は対応サイズおよび形状でなくてもよい。
【００３１】
図１０Ａおよび１０Ｂは、本発明による装置の他の代替実施形態のそれぞれ閉鎖および開放（第１および第２の）位置の斜視図を図示し、ここで装置の閉鎖位置から開放位置への移動により本体部品の複数のパネル１０２６〜１０３２のうちのパネル１０３２が、パッシブ部品としての保管区画１０２７を提示する。すなわちカバー部品１０の最上位パネルは、本体部品１２の最上位パネル１０３２と協働する枠部１０２４を含むため、パネル１０３２は、デバイスが閉鎖されると保管区画１０２７にわたりカバーを提供するとともに、デバイスが開放位置にある場合装置８のユーザに保管区画１０２７へのアクセスを提供するように移動する。例えばデバイスは複数の分離保管容積を有する多重部容器を備えることも可能であり、それにより１つの保管容積は１回または複数回分の薬の保持用になりうる一方で、他の保管容積は投与量または他のユーザ情報の保持用になり得る。カバーを摺動して開放することにより、ユーザは薬剤および投与量情報にアクセスする。
【００３２】
図示の実施形態ではカバーの副部品１８〜２４は間に空隙を有して複数レベルで担体１６上に配置されているが、本発明のさらなる態様によればカバーの副部品１８〜２４は、単一層として形成されるという点ですべて同一平面上にあってよく、しかし副部品１８〜２４の隣接するものの間に空隙を有して、多重レベルデバイス副部品２６〜３２のそれぞれを通過可能にする。これにはカバー副部品１８〜２４を空隙に進入可能にするとともに、デバイスの多重レベルの副部品２６〜３２に空間的に一致可能にしてその上に効果的カバーを提供するために、ある柔軟性または同様な技術が必要である。
【００３３】
さらなる代替実施形態において、カバー部品は組立体８に多重レベル構造を提供し得る一方で、デバイス１２を単一面状に形成し得る。
【００３４】
図１１Ａ、１１Ｂ、１１Ｃ、１２Ａ、１２Ｂ、１２Ｃ、１３Ａ、１３Ｂおよび１３Ｃはすべて、それぞれカバーが完全に閉鎖された、部分的に開放された、および完全に開放された位置で示された本発明の計算器の実施形態の例を図示し、それにより計算器の実施形態の各々の全体形状が異なる。
【００３５】
前述の図示例は概して、第１の相対位置から第２の相対位置への遷移を生じる組立体８の部品間の直線指向移動を示しているが、組立体の状態、機能または外観に変化を生じるような部品間の回転または角移動などの他の指向移動が考えられる。
【００３６】
この点で図１４Ａ、１４Ｂおよび１４Ｃは円形状を有する本発明の一般的な実施形態を図示し、ここでカバーと本体部品との間の回転相対移動の結果として、カバーがそれぞれ完全に閉鎖された、部分的に開放されたおよび完全に開放された位置で示されている。
【００３７】
なお他の電子および非電子デバイスがこの発明で用いられることが予期される。すなわち本明細書の教示によれば多数の電子デバイスは可動部品を形成して、例えば１つの位置で携帯電話（またはＰＤＡ、コンピュータ、テレビ用などの遠隔操作デバイス、記憶領域等）などの多機能デバイス、および第２の位置で計算器またはメディアプレーヤ（ｍｐ３プレーヤ、あるいはビデオまたはゲームプレーヤ、あるいはカメラ等など）を提供することができる。このような実施形態により、２つの別のユーザインターフェースを有する２つのデバイスが、サイズおよび形状効率的であるフォームファクタで容易に構成される一方で、複数のデバイスの最も基本的かつ必要な機能を実行するにも複雑なまたは視覚的に込み入ったユーザインターフェースを必要とするコンビネーション携帯電話／メディアプレーヤなどの、単一デバイスが単一のフォームファクタおよび／またはデバイスインターフェースにより異なる機能を行う必要性を低減または排除する。
【００３８】
上記の装置により多数の利点が提供されるが以下に限定はされない。
（１）カバー部品のパネルは本体部品の非使用時に、本体部品のパネルを隠すおよび／またはアクセスを保護するように機能し得る。
（２）カバーおよび本体部品のパネルは、デバイスのユーザに対する広告メッセージあるいは他の図形または画像を配置するための興味空間を提供し得る。このようなパネルはユーザが１つまたは複数のパネルを個人化する可能性も可能にする。
（３）カバーおよび本体部品のパネル間の相対移動の提供は、デバイスの状態または機能の刺激的なまたは視覚的に魅力的な変化を生じ得る。
（４）最小空間量を用いて状態または機能の変化を達成する。
（５）２つの機能性を提供するために必要な空間が、それらの機能性の一方を提供するために必要な空間をほんの僅か超える空間で提供される点で、装置は「１つで２つ」の機能提供を提供する。
【００３９】
このように上記の開示の実施形態は、第１の位置から第２または第３またはさらなる位置への構造またはデバイスの一部のユーザ移動により実現される構造またはデバイスを多目的利用し、その移動がデバイスまたは構造の代替態様を提示または露出または提供して、それらの結果として異なる視覚画像、体験または機能をユーザに提供する。
【００４０】
本発明を好適な実施形態を参照して具体的に示すとともに説明したが、当業者には本発明の分野と範囲とから逸脱することなく形状および細部において様々な変更をなし得ることは理解されよう。実際には多くのこのような変更はすでにこの説明に記載されているが、上記の変更は網羅的なものではなく単に例示であることは認識されよう。なお例えばカバー部品のパネルがデバイス部品の多重パネルに「保護する」および「隠す」機能を両方とも提供し得るが、これらの性質の一方または両方は本発明に必須ではない。例えば１つまたは複数のカバーパネルが透明である場合には、被覆位置においてそれらはデバイス部品の多重パネルを保護するように機能し得るが隠さない。同様に１つまたは複数のカバーパネルが多孔質である場合には、被覆位置においてそれらはデバイス部品の多重パネルを、例えば液体の流出から保護するように機能しないことがある。当業者には通常の所定の実験を用いて、本明細書に記載した特定の実施形態の多くの等価物を認識または解明できよう。
【００４１】
このように本発明のいくつかの態様によれば上記の目的と、目標と、利点とを完全に満たす、カバーパネルをデバイス上で移動させると刺激的な視覚的効果を達成するまたは追加の画像または情報を提供する方法および装置が提供されている。本発明をその特定の実施形態と共に説明したが、以上の説明を考慮して当業者には多くのさらなる代替例、変更例および変形例が明らかであることは明白である。従ってこのような代替例、変更例および変形例をすべて本発明の要旨と広い範囲内に含むものとする。
【図面の簡単な説明】
【００４２】
【図１Ａ−Ｃ】カバーがそれぞれ完全閉鎖、部分的開放、完全開放位置で示された、本発明の計算器実施形態を図示する。
【図２Ａ−Ｂ】互いに分離された、図１の実施形態のそれぞれカバーおよび計算器部分を図示する。
【図３Ａ−Ｂ】それぞれ完全閉鎖および完全開放位置の図１の実施形態の平面図を図示する。
【図４Ａ−Ｃ】装置の計算器本体部品を製造する１つの技術の組立ステップを図示する。
【図５】完成装置のカバー部品との本体部品の入れ子状組立体を図示する。
【図６Ａ−Ｂ】本発明による装置の他の代替実施形態のそれぞれ閉鎖および開放位置の斜視図を図示し、ここでカバー部品は画像などのパッシブ部品のパネルを備えるとともに、本体部品はキーボードおよびディスプレイなどのアクティブ部品のパネルを備える。
【図７Ａ−Ｂ】本発明による装置の他の代替実施形態のそれぞれ閉鎖および開放位置の斜視図を図示し、ここでカバーおよび本体部品パネルは共にキーボードおよびディスプレイなどのアクティブ部品を備える。
【図８Ａ−Ｂ】本発明による装置の他の代替実施形態のそれぞれ閉鎖および開放位置の斜視図を図示し、ここでカバー部品はキーボードおよびディスプレイなどのアクティブ部品のパネルを備えるとともに、本体部品は画像などのパッシブ部品のパネルを備える。
【図９Ａ−Ｂ】本発明による装置の他の代替実施形態のそれぞれ閉鎖および開放位置の斜視図を図示し、ここで本体部品の多重パネルは均一のサイズではない。
【図１０Ａ−Ｂ】本発明による装置の他の代替実施形態のそれぞれ閉鎖および開放位置の斜視図を図示し、ここで装置の閉鎖位置から開放位置への移動により、本体部品の複数のパネルのうちの１つが、前記カバー部品のパッシブ部品としての保管区画を提示する。
【図１１Ａ−Ｃ】すべてカバーがそれぞれ完全閉鎖、部分的開放、および完全開放置で示された本発明の計算器実施形態を図示し、ここで計算器実施形態の各々の全体形状が異なる。
【図１２Ａ−Ｃ】すべてカバーがそれぞれ完全閉鎖、部分的開放、および完全開放置で示された本発明の計算器実施形態を図示し、ここで計算器実施形態の各々の全体形状が異なる。
【図１３Ａ−Ｃ】すべてカバーがそれぞれ完全閉鎖、部分的開放、および完全開放置で示された本発明の計算器実施形態を図示し、ここで計算器実施形態の各々の全体形状が異なる。
【図１４Ａ−Ｃ】円形状を有する本発明の一般的な実施形態を図示し、ここでカバーがそれぞれ完全閉鎖、部分的開放および完全開放位置で示されている。
【図１Ａ】
2009518695.tif 000003
【図１Ｂ】
2009518695.tif 000004
【図１Ｃ】
2009518695.tif 000005
【図２Ａ】
2009518695.tif 000006
【図２Ｂ】
2009518695.tif 000007
【図３Ａ】
2009518695.tif 000008
【図３Ｂ】
2009518695.tif 000009
【図４Ａ】
2009518695.tif 000010
【図４Ｂ】
2009518695.tif 000011
【図４Ｃ】
2009518695.tif 000012
【図５】
2009518695.tif 000013
【図６Ａ】
2009518695.tif 000014
【図６Ｂ】
2009518695.tif 000015
【図７Ａ】
2009518695.tif 000016
【図７Ｂ】
2009518695.tif 000017
【図８Ａ】
2009518695.tif 000018
【図８Ｂ】
2009518695.tif 000019
【図９Ａ】
2009518695.tif 000020
【図９Ｂ】
2009518695.tif 000021
【図１０Ａ】
2009518695.tif 000022
【図１０Ｂ】
2009518695.tif 000023
【図１１Ａ】
2009518695.tif 000024
【図１１Ｂ】
2009518695.tif 000025
【図１１Ｃ】
2009518695.tif 000026
【図１２Ａ】
2009518695.tif 000027
【図１２Ｂ】
2009518695.tif 000028
【図１２Ｃ】
2009518695.tif 000029
【図１３Ａ】
2009518695.tif 000030
【図１３Ｂ】
2009518695.tif 000031
【図１３Ｃ】
2009518695.tif 000032
【図１４Ａ】
2009518695.tif 000033
【図１４Ｂ】
2009518695.tif 000034
【図１４Ｃ】
2009518695.tif 000035
【国際調査報告】
2009518695.tif 000036